(57)【要約】      （修正有）【課題】歯ブラシ除湿装置の提供。【解決手段】本体１、底板２及び前蓋４で構成された箱体を具え、底板の上面にトレイ３が設けられ、トレイと底板の間に軟質の遮蔽板６が挟まれ、トレイと底板の対応位置に一つ或いはそれ以上の嵌め溝２１が設けられ、遮蔽板の嵌め溝位置にスリット６１が設けられ、一組の電熱装置がトレイの下に接合され、トレイを過熱し並びに間接的に前述の箱体内部を加熱し、掛置かれた歯ブラシはその頸部で嵌め溝のスリットに嵌め置かれ、そのヘッドが箱体内に嵌め置かれ、温かい環境中で除湿を加速し、乾燥を保持し、病原菌の発生を防止する。【選択図】図４
0003108113.tif 000002
【実用新案登録請求の範囲】
【請求項１】
本体、底板及び前蓋で構成された箱体を具え、そのうち本体と底板はコ字形をなして箱体の固定部分とされ、本体上板に開口が設けられ、その前方に貫通する長溝があり、長溝中に一対の横軸孔が設けられ、前蓋は横断面がＣ形を呈する板体とされ、その上端より軸アームが突出し、軸アームは長溝に合わせて設けられ、軸アーム末端に横向きに一対の軸が設けられ、長溝中の軸孔に枢設され、底板上面にトレイが設けられ、トレイと底板の間に軟質の遮蔽板が設けられ、トレイと底板の対向位置に一つ或いはそれ以上の嵌め溝が設けられ、遮蔽板の嵌め溝位置にスリットが設けられ、一組の電熱装置がトレイの下に接合され、トレイを加熱して間接的に前述の箱体内部を加熱し、掛け置かれる歯ブラシはその頸部を以て嵌め溝のスリットに嵌め置かれ、そのヘッドは箱体内に嵌め置かれ、これにより比較的温熱の環境中で除湿を加速でき、並びに乾燥を保持でき、ウイルスの発生を防止できることを特徴とする、歯ブラシ除湿装置。
【請求項２】
請求項１記載の歯ブラシ除湿装置において、本体の背部に後壁及びほぼ平行な内壁が形成する中空中間層が設けられ、後壁に前後に貫通する立式背板溝が設けられ、背板はほぼ長方形の板状体を呈し、背板中に釘、ピン、ネジ等で壁掛するための釘孔が設けられ、背板両側が外向きに突出するよう折り曲げられ、背板が背板溝中にスライド式に組み合わされて両側が後壁の内面に挟持され、これにより歯ブラシ除湿装置が壁面に掛けられることを特徴とする、歯ブラシ除湿装置。
【請求項３】
請求項１記載の歯ブラシ除湿装置において、本体の側辺に直立するピン孔が設けられ、歯磨きペーストシートはカップ状を呈し、その一辺に立式ピンを具え、ピンがピン孔中に挿入されて歯磨きペーストシートが掛置かれることを特徴とする、歯ブラシ除湿装置。
【請求項４】
請求項１記載の歯ブラシ除湿装置において、底板に逆Ｕ形の電線コードホルダが螺子止めされ、電気コードホルダの両端が外向きに突出する翼部とされて電線を巻き付けるのに供されることを特徴とする、歯ブラシ除湿装置。
【考案の詳細な説明】
【技術分野】
【０００１】
本考案は歯ブラシ除湿装置に係り、特に、歯ブラシを掛置く箱体を具え、箱体内に電熱装置が設けられ、箱体内部を温熱状態に保持して、除湿と乾燥を加速し、箱体内に歯ブラシのヘッド部分だけが収容され、箱体は本体、底板及び前蓋で構成され、そのうち、底板の上面にトレイが設けられ、トレイと底板の間に軟質の遮蔽板が挟まれ、トレイと底板の対応位置に嵌め溝が設けられ、歯ブラシ頸部が嵌め置かれ、遮蔽板の嵌め溝位置にスリットが設けられ、歯ブラシを嵌め置く時の弾性ゲートとされ、箱体のスリット過大が防止された歯ブラシ除湿装置に関する。
【背景技術】
【０００２】
歯ブラシ除湿装置は新規な構想に属し、比較的近いものとしては歯ブラシホルダ、或いは歯ブラシ収容ケース等がある。これらの製品は浴室内に歯ブラシを掛置くケースとされ、前者は僅かにヘッド部分を保護し、柄の部分は露出し、後者は全体の歯ブラシをケース内部に収容する。一般にこれらの製品は独立した単一製品とされるか、或いは鏡台中に配属され、その構造の一部分とされている。
【考案の開示】
【考案が解決しようとする課題】
【０００３】
本考案の歯ブラシ除湿装置は、本体、底板及び前蓋で構成された箱体を具え、そのうち本体と底板はコ字形をなし、箱体の固定部分とされ、本体上板に開口が設けられ、その前方に貫通する長溝があり、長溝中に一対の横軸孔が設けられ、前蓋は横断面がＣ形を呈する板体とされ、その上端より軸アームが突出し、軸アームは長溝に合わせて設けられ、軸アーム末端に横向きに一対の軸が設けられ、長溝中の軸孔に枢設され、底板上面にトレイが設けられ、トレイと底板の間に軟質の遮蔽板が設けられ、トレイと底板の対向位置に一つ以上の嵌め溝が設けられ、遮蔽板の嵌め溝位置にスリットが設けられ、一組の電熱装置がトレイの下に接合され、トレイを加熱して間接的に前述の箱体内部を加熱し、掛け置かれる歯ブラシはその頸部を以て嵌め溝のスリットに嵌め置かれ、そのヘッドは箱体内に嵌め置かれ、これにより比較的温熱の環境中で除湿を加速でき、並びに乾燥を保持でき、ウイルスの発生を防止できる。
【０００４】
上述の歯ブラシ除湿装置は、そのうち本体の背部に後壁及びほぼ平行な内壁が形成する中空中間層が設けられ、後壁に前後に貫通する立式背板溝が設けられ、背板はほぼ長方形の板状体を呈し、背板中に釘、ピン、ネジ等で壁掛するための釘孔が設けられ、背板両側が外向きに突出するよう折り曲げられ、背板が背板溝中にスライド式に組み合わされて両側が後壁の内面に挟持され、これにより歯ブラシ除湿装置が壁面に掛けられる。
【課題を解決するための手段】
【０００５】
請求項１の考案は、本体、底板及び前蓋で構成された箱体を具え、そのうち本体と底板はコ字形をなして箱体の固定部分とされ、本体上板に開口が設けられ、その前方に貫通する長溝があり、長溝中に一対の横軸孔が設けられ、前蓋は横断面がＣ形を呈する板体とされ、その上端より軸アームが突出し、軸アームは長溝に合わせて設けられ、軸アーム末端に横向きに一対の軸が設けられ、長溝中の軸孔に枢設され、底板上面にトレイが設けられ、トレイと底板の間に軟質の遮蔽板が設けられ、トレイと底板の対向位置に一つ或いはそれ以上の嵌め溝が設けられ、遮蔽板の嵌め溝位置にスリットが設けられ、一組の電熱装置がトレイの下に接合され、トレイを加熱して間接的に前述の箱体内部を加熱し、掛け置かれる歯ブラシはその頸部を以て嵌め溝のスリットに嵌め置かれ、そのヘッドは箱体内に嵌め置かれ、これにより比較的温熱の環境中で除湿を加速でき、並びに乾燥を保持でき、ウイルスの発生を防止できることを特徴とする、歯ブラシ除湿装置としている。
請求項２の考案は、請求項１記載の歯ブラシ除湿装置において、本体の背部に後壁及びほぼ平行な内壁が形成する中空中間層が設けられ、後壁に前後に貫通する立式背板溝が設けられ、背板はほぼ長方形の板状体を呈し、背板中に釘、ピン、ネジ等で壁掛するための釘孔が設けられ、背板両側が外向きに突出するよう折り曲げられ、背板が背板溝中にスライド式に組み合わされて両側が後壁の内面に挟持され、これにより歯ブラシ除湿装置が壁面に掛けられることを特徴とする、歯ブラシ除湿装置としている。
請求項３の考案は、請求項１記載の歯ブラシ除湿装置において、本体の側辺に直立するピン孔が設けられ、歯磨きペーストシートはカップ状を呈し、その一辺に立式ピンを具え、ピンがピン孔中に挿入されて歯磨きペーストシートが掛置かれることを特徴とする、歯ブラシ除湿装置としている。
請求項４の考案は、請求項１記載の歯ブラシ除湿装置において、底板に逆Ｕ形の電線コードホルダが螺子止めされ、電気コードホルダの両端が外向きに突出する翼部とされて電線を巻き付けるのに供されることを特徴とする、歯ブラシ除湿装置としている。
【考案の効果】
【０００６】
本考案は歯ブラシが掛置かれる箱体の内部に設けられた電熱装置により、箱体内部が温熱状態に保持され除湿と乾燥を加速し、病原菌の発生を防止する。箱体の本体、前蓋の枢設構造は上部に設置され、且つ箱体は絶対密閉空間に設計されず、空気をゆっくりと対流させるメカニズムを獲得し、これにより箱体中の空気が加熱後に空気が水気を帯びて上向きに排出され、箱体の室内が適当な乾燥状態に保持される。本考案の歯ブラシ除湿装置の機能、目的及びその構造は従来にはないものであり、新規性を有している。
【考案を実施するための最良の形態】
【０００７】
図１の本考案の実施例の立体図に示されるように、本考案は、本体１、底板２及び前蓋４で構成された箱体を具え、本体１の側辺にカップ状の歯磨きペーストシート８が掛けられ、底板２の底面に電気コードホルダ９が設けられ、電線を巻くのに供される。
【０００８】
図２の本考案の実施例の立体局部分解図に示されるように、上述の本体１、底板２及び前蓋４で構成された箱体が本考案の主要部分であり、本体１の側辺に掛けられた歯磨きペーストシート８は着脱式アクセサリとされる。また、底板２の底面に螺子止めされた電気コードホルダ９もまた着脱式アクセサリとされる。更に前述の箱体背部に背板７が配置され、背板７は略長方形の板状体とされ、背板中に螺子止め、掛け用の釘、ピン、ネジを組み合わせる釘孔７２が設けられ、壁面への掛設に供される。
【０００９】
各部品の詳細な状態は図３の本考案の実施例の立体分解図に示されるようである。本体１には上板１１、後壁１３、内壁１５が設けられ、本体の上板１１に開口があり、該開口の前方に上下に貫通する長溝１４が設けられ、長溝１４中に一対の横軸孔１６が設けられている。底板２は浅ディスク状とされ、その側端に嵌め溝２１が設けられ、嵌め溝２１の周辺付近に複数の直立するピンスリーブ２２が設けられ、底板後面に出線孔２３が設けられ、底板に垂直方向に複数のネジ孔２５が設けられて本体とトレイの螺子止めに供される。トレイ３は底板２の上面に設けられ、トレイ３と底板２の対向位置に一つ或いはそれ以上の嵌め溝２１、３１が設けられ、トレイ３と底板２の間の嵌め溝位置に軟質の遮蔽板６が設けられ、トレイ３の底面に上述の底板に設けられたピンスリーブ２２に合わせてピン（図示せず）が凸設され、且つ遮蔽板６の対応位置にピン孔６２が設けられ、遮蔽板６の嵌め溝２１、３１位置に亀裂状のスリット６１が設けられている。一組の電熱装置５がトレイ３の下に接合され、該電熱装置５は良好な熱伝導を行なう冷却板５１、電源指示ランプ及びそのランプカバー５２、恒温の発熱体５３及び発熱体５３を固定するためのホルダ５４、及び発熱体を固定し発熱体の導線端の一つとされる押し板５５を具え、冷却板は発熱体のもう一つの導線端とされる。前蓋４は横断面がＣ形を呈する板体とされ、その上端より軸アーム４１が突出し、軸アーム４１は長溝１４に合わせて設けられ、底板２及び前蓋４が箱体を構成し、そのうち軸アーム４１の末端に横向きに一対の軸４２が設けられ、長溝中の軸孔１６に挿入される。本体１の背部後壁１３及び略平行な内壁１５が中空中間層を形成し、後壁１３に前後に貫通する立式背板溝が設けられ、背板７は略長方形の板状体とされ、背板７中に釘、ピン、ネジによる壁掛けに供される釘孔７２が設けられ、背板両側７１が外向きに突出するよう折り曲げられ、背板がスライド式に背板溝中に組み合わされ、その両側辺が後壁１３の内面に挟持されて箱体が壁面に取付られる。
【００１０】
上述の本体１の側辺に直立するピン孔１７が設けられ、歯磨きペーストシート８はそのシート本体８１がカップ状を呈し、シート本体８１の一辺に立式ピン８２が設けられ、ピン８２がピン孔１７に組み合わされることで歯磨きペーストシート８が掛け置かれる。
【００１１】
底板２の底面に逆Ｕ形の電気コードホルダ９が固定され、電気コードホルダ９の両端部に外向きに突出する翼部９１が形成されて電気コードを巻き付けるのに用いられ、電気コードホルダ９の上方に突出するリブが設けられて位置決め條９２とされる。当然、底板２の底部に位置決め條９２を嵌め置く凹溝を設置可能で、電気コードホルダ９はそのネジ孔９３で底板２に固定される（図５の側面縦断面構造を参照されたい）。
【００１２】
更に図４の本考案の使用例を参照されたい。前蓋４が前向きに上向きに開かれ、前蓋が開かれた後に本体１の底板２及びトレイ３が、開口が前向きのケースを形成する。ケースの開口端に歯ブラシＢを掛置くための嵌め溝２１、３１が設置され、嵌め溝中間に設けられた遮蔽板６のスリット６１が歯ブラシＢの頸部の挿入に供され、並びに挿入後に歯ブラシＢにより押し開かれたスリットが収縮して開口が最小の状態となる。
【００１３】
前述の本体１の背部後壁１３及び略平行な内壁１５が中空中間層（図５の正面図と側面縦断面構造図を参照されたい）を形成し、後壁１３に前後に貫通する直立する背板溝１８が設けられ、背板７が略長方形の板状体とされ、背板７中に板の前後を貫通して釘、ピン、ネジによる壁掛けに供される釘孔７２が設けられ、背板がスライド式に背板溝中に組み合わされ、背板両側が後壁１３内面に挟持されて箱体が壁面に取付られる。
【図面の簡単な説明】
【００１４】
【図１】本考案の実施例の立体図である。
【図２】本考案の実施例の立体局部分解図である。
【図３】本考案の実施例の立体分解図である。
【図４】本考案の使用例図である。
【図５】本考案の実施例の正面図及び側面縦断面構造図である。
【符号の説明】
【００１５】
１  本体      １１  上板      １２  底面
１３  後壁    １４  長溝      １５  内壁
１６  軸孔    １７  ピン孔    １８  背板溝
２  底板      ２１  嵌め溝    ２２  ピンスリーブ
２３  出線孔  ２４  逆止めフック    ２５  ネジ孔
３  トレイ    ３１  嵌め溝          ３２  ランプカバー孔
３３  排水孔  ３４  ネジ孔          ４  前蓋
４１  軸アーム  ４２  軸            ５  電熱装置
５１  冷却板    ５５  ランプカバー  ５３  発熱体
５４  フレーム  ５５  押し板        ６  遮蔽板
６１  スリット  ６２  ピン孔        ７  背板
８１  シート本体  ８２  ピン        ９  電線コードホルダ
９１  翼部        ９２  位置決め條  ９３  ネジ孔
Ｂ  歯ブラシ      Ｓ１  ネジ        Ｓ２  ネジ
【図１】
0003108113.tif 000003
【図２】
0003108113.tif 000004
【図３】
0003108113.tif 000005
【図４】
0003108113.tif 000006
【図５】
0003108113.tif 000007